(57)【要約】【課題】情報信号の処理と送受信を実行する処理回路と操作部を有する本体にカメラが取付けられ、カメラから得られた映像信号を情報信号として処理するカメラ付き通信端末装置において、複数の相違するフィルターを選択して用いるためのカメラ付き通信端末装置を提供する。【解決手段】相異なる複数のフィルターからなるフィルター本体６０をカメラ５０の前方にガイド７０によって摺動自在に取付け、操作レバー４０２によって所望のフィルターをカメラレンズの前方に位置させ、フィルター本体６０側に凹部８０１を設け、ガイド７０側に凹部８０１に係合、離脱する凸部８０２を設け、カメラレンズの前方に位置されたフィルターを凹部８０１に凸部８０２を係合することにより保持し、単一のカメラレンズの前方にフィルターを選択的に位置させるように構成した。【選択図】図４
2012114583.tif 000002
【特許請求の範囲】
【請求項１】
情報信号の処理と送受信を実行する処理回路と操作部を有する装置本体にカメラが取付けられ、該カメラから得られた映像信号を該情報信号として処理するカメラ付き通信端末装置であって、
相異なる複数のフィルターからなるフィルター本体と、
前記フィルター本体を前記カメラに対して移動可能に取付けて所望のフィルターを該カメラのカメラレンズ前方に位置させる取付け手段と、
前記カメラレンズ前方に位置された所望の前記フィルターを保持する前記取付け手段に設けられた保持手段と、
前記フィルター本体を前記装置本体に対して摺動させる操作手段とを備えてなることを特徴とするカメラ付き通信端末装置。
【請求項２】
前記フィルター本体は、前記複数のフィルターを直線的に並べて配置するフレームを備え、
前記取付け手段は、前記フレームを摺動自在に案内するガイドを前記カメラに備えてなることを特徴とする請求項１に記載のカメラ付き通信端末装置。
【請求項３】
前記保持手段は、前記フレームに形成された凹部と、前記摺動取付け手段側に形成された該凹部と係合する凸部と、該凸部と凹部の少なくとも一方を弾性的に支持する可撓部とからなることを特徴とする請求項１に記載のカメラ付き通信端末装置。
【発明の詳細な説明】
【技術分野】
【０００１】
本発明は、情報信号の処理と送受信を実行する処理回路と操作部を有する本体にカメラが取付けられ、カメラから得られた映像信号を情報信号として処理するカメラ付き通信端末装置であって、特に、フィルターを用いて撮影するためのカメラ付き通信端末装置に関するものである。
【背景技術】
【０００２】
近年、携帯電話機は通信、電子メール、インターネットへのアクセスなどが可能となっている。即ち、多機能化された通信端末装置として活用されている。しかも、撮影用のカメラを有し、送信者、背景、物品などの被写体を撮影して画像信号を記録及び送信する機能を有するものが商品化されている。このような傾向は、携帯電話のみならず、企業や一般加入者が宅内に設置する宅内電話機においても同様である。特に最近では宅内電話機をＩＰ電話として用いることもあり、それらの電話機には送話者、受話者の動画像を相互に送受信できるように撮像用のカメラユニットが備えられるようになってきている。更に、光学的なフィルターを用いて被写体を撮影することが考えられている。
【０００３】
この種の光学的フィルターを用いて撮影することができる携帯端末装置としては、例えば、下記の特許文献１（特開２００３−２５６８１９号公報）に示す従来技術が提案されている。この従来の携帯電話機は、虹彩で個人認証を行うために虹彩を撮影することとテレビ電話機として使用したり風景画像を撮影して送信したりするものである。そこで虹彩撮影用の虹彩認識用撮影装置と風景画像や顔面画像などを撮影できる撮影装置を搭載している。虹彩認識用撮影装置は虹彩のパターンを撮影する関係で画面が狭い望遠カメラを用いている。また、虹彩認識用撮影装置は虹彩画像が近赤外付近で最も鮮明な画像となるので可視光カットフィルターをレンズに取り付けている。一方、風景や顔面などを撮影する撮影装置は広角カメラを用いると共に、より鮮明な画像を得るため可視光を透過し赤外光をカットする赤外カットフィルターをレンズに取り付けている。
【０００４】
その具体的な構成は以下の通りである。携帯端末装置は、スライダーによってスライドするレンズユニットを備え、このレンズユニット内に画角が狭角の望遠レンズと画角が広角の広角レンズとが並列に設けられている。これら望遠レンズと広角レンズとはスライダーによっていずれか一方が固体撮像素子の前面に選択的に位置されるようになっている。また、レンズユニット内には、望遠レンズに重ねて可視光カットフィルターが設けられ、広角レンズに重ねて赤外光カットフィルターが設けられている。
【０００５】
上述したように従来のカメラ付き携帯端末装置は、可視光カットフィルターに重ね合わされた望遠レンズと、赤外光カットフィルターに重ね合わされた広角レンズとを並置したレンズユニットを備え、スライダーによりレンズユニットをスライドさせることで撮像阻止の前面位置にくるレンズを可視光カットフィルターが重なった望遠レンズまたは赤外光カットフィルターが重なった広角レンズのいずれかに切り換えて撮影することができる。
【先行技術文献】
【特許文献】
【０００６】
【特許文献１】特開２００３−２５６８１９号公報（段落０００４〜０００７、段落００１９〜００２０、図２）
【発明の概要】
【発明が解決しようとする課題】
【０００７】
しかしながら、上記特許文献１に開示された、従来のカメラ付き携帯端末装置においては、望遠レンズと広角レンズに対応して各々に光学的フィルターが設けられているので光学的フィルターのみを切換えることができない。そのため、カメラ付き携帯端末装置において、例えば被写体をぼかして撮影したり色彩効果をもたせて撮影する場合には、これらの撮影のための光学的フィルターだけを選択することができないという問題があった。
【０００８】
従って、本発明は、上記の問題点を解消することを課題とし、簡単な構成で共通のカメラレンズに対して複数の相違する光学的フィルターを選択的に取付けることができるカメラ付き通信端末装置を提供することを目的とするものである。
【課題を解決するための手段】
【０００９】
前記課題を解決するために、本願の請求項１に係るカメラ付き通信端末装置の発明は、情報信号の処理と送受信を実行する処理回路と操作部を有する装置本体にカメラが取付けられ、該カメラから得られた映像信号を該情報信号として処理するカメラ付き通信端末装置であって、相異なる複数のフィルターからなるフィルター本体と、前記フィルター本体を前記カメラに対して移動可能に取付けて所望のフィルターを該カメラのカメラレンズ前方に位置させる取付け手段（例えば、下記の実施例では、ガイド７０）と、前記カメラレンズ前方に位置された所望の前記フィルターを保持する前記取付け手段に設けられた保持手段（例えば、下記の実施例では、保持機構８０）と、前記フィルター本体を前記装置本体に対して摺動させる操作手段（例えば、下記の実施例では、操作レバー４０２）とを備えてなることを特徴とする。
【００１０】
また、本願の請求項２に係る発明においては、請求項１に係る発明において、前記フィルター本体は、前記複数のフィルターを直線的に並べて配置するフレームを備え、前記取付け手段は、前記フレームを摺動自在に案内するガイドを前記カメラに備えてなることを特徴とする。
【００１１】
また、本願の請求項３に係る発明においては、請求項１に係る発明において、保持手段は、フレームに形成された凹部と、取付け手段側に形成された凹部と係合する凸部と、凸部と凹部の少なくとも一方を弾性的に支持する可撓部とからなることを特徴とする。
【発明の効果】
【００１２】
本発明のカメラ付き通信端末装置は、次に示すような優れた効果を奏する。
【００１３】
即ち、請求項１に係る発明においては、相異なる複数のフィルターからなるフィルター本体をカメラの前方に配置し、取付け手段によってフィルター本体を取付けて所望のフィルターをカメラレンズの前方に位置させ、保持手段によってカメラレンズの前方に位置されたフィルターを保持し、操作手段によってフィルターを移動させるので、相異するフィルターを共通のカメラに選択的に取付けることができる。そのため、相異するフィルター効果をもたらす撮影が単一のカメラレンズで達成できることになり装置の小型化を図ったカメラ付き通信端末装置を提供できる。
【００１４】
また、請求項２に係る発明においては、請求項１に係る発明において、フィルター本体は、複数のフィルターを直線的に並べて配置するフレームを備え、取付け手段は、フレームを摺動自在に案内するガイドをカメラに備えているので、簡単な構成でフィルター本体をカメラに取付けることができると共に、操作手段による所望のフィルターの選択を容易に行うことができる。
【００１５】
また、請求項３に係る発明においては、請求項１に係る発明において、保持手段は、フレームに形成された凹部と、取付け手段側に形成された凹部と係合する凸部とからなるので、選択されたフィルターが確実に位置の保持がなされる。また、凸部と凹部の少なくとも一方が可撓部に支持されているので、凹部と凸部との係合離脱が円滑に行われ操作手段の操作性を向上させることができる。
【図面の簡単な説明】
【００１６】
【図１】本発明の一実施例に係るカメラ付き通信端末装置の正面図である。
【図２】図１におけるカメラ付き通信端末装置の前面パネルの背面側に配置されているカメラ部分を示した斜視図である。
【図３】図２における前面パネルを切断して示す上面図である。
【図４】図２におけるカメラ部分を取出してその前面側を示す斜視図である。
【図５】図４の正面図である。
【図６】図５におけるＡ−Ａ線で切断した断面図である。
【図７】本発明の一実施例に係るカメラ付き通信端末装置のフィルター本体とスペーサとを示す斜視図である。
【図８】本発明の一実施例に係るカメラ付き通信端末装置の前ホルダーを背面方向から見た斜視図である。
【発明を実施するための形態】
【００１７】
以下、本発明の具体例を実施例及び図面を用いて詳細に説明する。但し、以下に示す実施例は、本発明の技術的思想を具体化するためのカメラ付き通信端末装置を例示するものであって、本発明をこのカメラ付き通信端末装置に特定することを意図するものでなく、特許請求の範囲に含まれるその他の実施形態のカメラ付き通信端末装置にも等しく適用し得るものである。
【実施例】
【００１８】
図１は本発明の一実施例に係るカメラ付き通信端末装置の正面図であり、図２は図１における前面パネルの背面側に配置されているカメラ部分を示す斜視図であり、図３は図２における前面パネルを切断して示す上面図である。
【００１９】
本実施例に係るカメラ付き通信端末装置１０はカメラ付き電話機に適用されたものであり、図１に示すように、装置本体２０とスタンド３０とからなっている。装置本体２０の前面上縁寄りの中央部分には後述するカメラが配置され、その前面にはカメラのレンズ部分が臨むように、カメラ用開口２０１が形成されている。カメラ用開口２０１の側方には後述するフィルターのためのフィルター用操作部４０が設けられている。装置本体２０の前面中央には液晶表示パネルからなる表示部２０２、下方には各種の操作キーを配した操作部２０３、左方には通話用のハンドセット２０４が夫々配置されている。また、装置本体２０は全体的に筐体２０５と前面パネル２０６によって構成されており、その内部には情報信号の処理と送受信を実行する処理回路、電源回路などの各種部品、部材が内蔵されている。
【００２０】
図２、図３においてカメラの内蔵状態を示すが、カメラ５０は支持部５０１とフレキシブル・プリント回路基板５０２を備えている。支持部５０１はカメラ５０を筐体２０５に支持して前面パネル２０６の背面側に位置させている。フレキシブル・プリント回路基板５０２はカメラ５０と装置本体２０内に設けられたプリント回路基板（図示せず）との間を電気的に接続させている。
【００２１】
フィルター用操作部４０は、前面パネル２０６に水平方向に形成された操作レバー用溝４０１と、操作レバー用溝４０１によって案内されて摺動する操作レバー４０２とから形成されている。即ち、フィルター用操作部４０は操作レバー４０２が前面パネル２０６上を水平方向に摺動するように構成されている（図１参照）。
【００２２】
図４は、図２におけるカメラ部分を取出してその前面側を示す斜視図であり、図５は、図４の正面図であり、図６は、図５におけるカメラ部分のＡ−Ａ線で切断した断面図である。以下、図２、図３、および、図４〜図６を参照してカメラ５０とフィルター本体６０のガイド部分を詳しく説明する。
【００２３】
カメラ５０は、カメラホルダー５０３と、カメラホルダー５０３内に設けられたカメラモジュール５０４と、カメラモジュール５０４のレンズ前方に形成された空間５０５と、空間５０５に連なりカメラモジュール５０４の前面に形成された正方形のレンズ用開口５０６とからなる。カメラホルダー５０３は前ホルダー５０３aと後ホルダー５０３ｂとから形成されている。カメラモジュール５０４は前ホルダー５０３aにスペーサ５０７を介し、後ホルダー５０３ｂにクッション材５０８を介して取付けられている。また、空間５０５内においては、カメラモジュール５０４の前方に位置してフィルター本体６０が設けられている（図３、図６参照）。
【００２４】
フィルター本体６０はカメラモジュール５０４の前方に取付けられているが、この取付け手段は、フィルター本体６０の上縁と下縁が摺動自在に係合するガイド７０によって構成されている。このガイド７０は前ホルダー５０３aとスペーサ５０７とによって形成されている（図４、図６参照）。
【００２５】
図７はフィルター本体６０とスペーサ５０７とを示す斜視図であり、図８は前ホルダー５０３を背面方向から見た背面図である。次に、これらの図を参照してフィルター本体６０、及びカメラ５０に取付けたフィルター本体６０を保持する保持手段を、更に詳しく説明する。
【００２６】
フィルター本体６０は、横方向に直線的に並んだ４個の窓を形成するフレーム６０１と、最左端に形成された開口６０２と、開口６０２の右隣りの窓に取付けられた被写体をぼかして撮影するためのソフトフィルター６０３と、ソフトフィルター６０３の右隣りの窓に取付けられた青色フィルター６０４と、青色フィルター６０４の右隣りの窓に取付けられた赤色フィルター６０５と、赤色フィルター６０５の右方に伸びて設けられた連結用プレート６０６とから構成されている。
【００２７】
連結用プレート６０６の先端は、前面パネル２０６の背面側で操作レバー４０２に連結されている。この連結状態は抜止め用ピン４０３によって維持されている（図２、図３参照）。そして、フィルター本体６０は操作レバー４０２の水平方向の移動操作によってカメラ５０のカメラレンズの前方を水平方向に移動可能に取付けられている。従って、操作レバー４０２は、フィルター本体６０をスライドして移動させる操作手段として機能する。
【００２８】
フレーム６０１には夫々の窓の上辺、下辺の中間に凹部８０１が形成されている。一方、ガイド７０の中間に凹部８０１に係合、離脱する凸部８０２が形成されている。従って、これら凹部８０１、凸部８０２は、選択的にカメラレンズ（図示せず）前方に位置された開口６０２、ソフトフィルター６０３、青色フィルター６０４、赤色フィルター６０５を位置決め保持する保持手段である保持機構８０を構成する。
【００２９】
凸部８０２が設けられたガイド７０部分は可撓性の材料を用いて形成された可撓部８０３であって、凸部８０２が凹部８０１に弾性的に当接して係合するようになっている。なお、凸部８０２が設けられたガイド７０部分は可撓性の材料を用いて形成するかわりに、凹部８０１を設けたフレーム６０１部分を可撓性の材料を用いて形成してもよい。
【００３０】
次に、上述した実施例のカメラ付き通信端末装置１０における動作について説明する。カメラ付き通信端末装置１０において、テレビ電話機能により通話を行う場合は、通話者の顔の皮膚の粗さが目立たないようにぼかすことが可能である。
【００３１】
この場合は、操作レバー４０２を操作してソフトフィルター６０３がカメラレンズの前面に位置されるようにフィルター本体６０を摺動させる。カメラレンズの前面に位置されたソフトフィルター６０３は、フレーム６０１部分の凹部８０１にカメラ５０側の凸部８０２が係合されることにより、その位置が保持される。その結果、被写体はソフトフィルター６０３を介して粗さが目立たないように撮影される。
【００３２】
一方、カメラ付き通信端末装置１０において、青色フィルター６０４を介して被写体を撮影する場合は、操作レバー４０２を操作して青色フィルター６０４がカメラレンズの前面に位置されるようにフィルター本体６０を摺動させる。カメラレンズの前面に位置された青色フィルター６０４は、フレーム６０１部分の凹部８０１にカメラ５０側の凸部８０２が係合されることにより、その位置が保持される。その結果、被写体は青色フィルター６０４を介して撮影される。
【００３３】
更に、カメラ付き通信端末装置１０において、赤色フィルター６０５を介して被写体を撮影する場合は、操作レバー４０２を操作して赤色フィルター６０５がカメラレンズの前面に位置されるようにフィルター本体６０を摺動させる。カメラレンズの前面に位置された赤色フィルター６０５は、フレーム６０１部分の凹部８０１にカメラ５０側の凸部８０２が係合されることにより、その位置が保持される。その結果、被写体は赤色フィルター６０５を介して撮影される。
【００３４】
また、上記の各種のフィルターを用いない場合は、操作レバー４０２を操作して開口６０２がカメラレンズの前面に位置されるようにフレーム本体６０を摺動させる。この状態は開口６０２部分の凹部８０１にカメラ５０側の凸部８０２が係合されることにより保持される。その結果、被写体はフィルターを介さないで撮影される。
【００３５】
従って、上述した本発明の実施例のカメラ付き情報端末装置１０によれば、開口６０２、ソフトフィルター６０３、青色フィルター６０４、赤色フィルター６０５を有するフィルター６０本体がガイド７０によって摺動自在に取付けられている。そして、フィルター本体６０が前面パネル２０６上に配置された操作レバー４０２によって摺動されるようになっている。
【００３６】
そのため、カメラ付き情報端末装置１０は相異なる複数のフィルターを共通のカメラレンズに対し選択的に取付けて所望の状態で撮影することができるので、カメラレンズが単一なものでよくカメラモジュール５０４を小型にすることできる。
【００３７】
また、フィルター本体６０は複数のフィルターを直線的に並べて配置しカメラ５０側に備えたガイド７０によってカメラレンズ前方を摺動するように取付けられているので、フィルター本体６０の直線的な移動によってフィルターの選択ができる。そのため、操作レバー４０２は直線的な移動によって容易にフィルターの選択ができる。
【００３８】
更に、フィルター本体６０はフレーム６０１に形成した凹部８０１にスペーサ５０７側に形成した凸部８０２を係合させて摺動位置の保持を行うように構成したため、開口６０２、ソフトフィルター６０３、青色フィルター６０４、赤色フィルター６０５がカメラレンズの前面に正確に位置されその状態が確実に保持される。
【００３９】
また、凸部８０２はガイド７０の可撓部８０３に設けられているので凹部８０１との係合、離脱が円滑に行われる。そのため、操作レバー４０１による操作性が向上する。勿論、凹部８０１が設けられているフレーム６０１部分を可撓性の材料で形成しても同様の効果をもたらす。
【００４０】
なお、上記実施例においては、カメラ付き通信端末装置１０がスタンド３０を有する電話機に適用された場合について説明したが、本発明はこれに限定されることなく携帯電話機、各種情報処理のための電子機器などの各種の装置に適用できる。
【符号の説明】
【００４１】
１０・・・・カメラ付き通信端末装置
２０・・・・装置本体
３０・・・・スタンド
４０・・・・フィルター用操作部
５０・・・・カメラ
６０・・・・フィルター本体
７０・・・・ガイド
８０・・・・保持機構
２０１・・・カメラ用開口
２０２・・・表示部
２０３・・・操作部
２０４・・・ハンドセット
２０５・・・筺体
２０６・・・前面パネル
４０１・・・操作レバー用溝
４０２・・・操作レバー
５０１・・・支持部
５０２・・・フレキシブル・プリント回路基板
５０３・・・カメラホルダー
５０３ａ・・前ホルダー
５０３ｂ・・後ホルダー
５０４・・・カメラモジュール
５０５・・・空間部
５０６・・・レンズ用開口
５０７・・・スペーサ
５０８・・・クッション材
６０１・・・フレーム
６０２・・・開口
６０３・・・ソフトフィルター
６０４・・・青色フィルター
６０５・・・赤色フィルター
６０６・・・連結用プレート
８０１・・・凹部
８０２・・・凸部
８０３・・・可撓部
【図１】
2012114583.tif 000003
【図２】
2012114583.tif 000004
【図３】
2012114583.tif 000005
【図４】
2012114583.tif 000006
【図５】
2012114583.tif 000007
【図６】
2012114583.tif 000008
【図７】
2012114583.tif 000009
【図８】
2012114583.tif 000010